(57)【要約】【課題】  異なる硬軟素材によるブラジャーカップ構造の改良の提供。【解決手段】  本考案は、外側から内側に固めの弾性編地によって織り成された固め編地層と、ネットワークゲル層と、不織綿によって織り成された弾性繊維綿層と、軟らかめの弾性編地によって織り成された軟らかめ編地層を含み、前記ネットワークゲル素材熱溶解性を介して、熱可塑成型することで前記固め編地層、及び、弾性繊維綿層を結合固定でき、また前記固め編地層、ネットワークゲル、弾性繊維綿層、軟らかめ編地層を相互に貼合すると共にブラジャーのカップ型を加圧成型することで外側がすっきりとなり、裏側を軟らかく自然な感じに仕上がる。【選択図】  図１
0003124173.tif 000002
【実用新案登録請求の範囲】
【請求項１】
異なる硬軟素材により形成されるブラジャーカップにおいて、外側から内側に、
固めの弾性編地によって織り成された固め編地層と
ネットワークゲル層と、
不織綿によって織り成された弾性繊維綿層と、
軟らかめの弾性編地によって織り成された軟らかめ編地層を含み、
前記ネットワークゲル素材熱溶解性を介して、熱可塑成型することで前記ネットワークゲル層により前記固め編地層、及び、前記弾性繊維綿層を熱溶解して固定させ、且つ前記固め編地層、ネットワークゲル、弾性繊維綿層、軟らかめ編地層を相互に貼合すると共にブラジャーのカップ型を加圧成型することを特徴とする、異なる硬軟度素材により形成されるブラジャーカップ。
【考案の詳細な説明】
【技術分野】
【０００１】
本考案は、ブラジャーカップ構造の改良に関り、特に異なる硬軟素材によるブラジャーカップ構造の改良に関る。
【背景技術】
【０００２】
従来のブラジャー製品は、日増しに精緻で華やかなになり、ブラジャーカップの品質及び着用における快適性、ブラジャーカップの素材、設計と構造についても自然に市場において最も重要視される課題となっている。
【０００３】
現在肌衣としてよく見られるブラジャーカップ構造の素材は、弾性繊維綿層及び不織布の２種類であるが、大部分が一体成型で、且つ素材も単一素材で圧縮成型され、立体的で厚手あり、且つ凹陥の収容空間を具備して使用者のバストを支えているが、従来の肌衣のブラジャーカップは、前記のような種類の弾性及び快適性を強調しているが、使用者からの外観に対する視覚的なニーズ、即ちブラジャー着用者がブラジャーを着用した時の快適性を求めるだけでなく、視覚的にもすっきりで、寄せ上げ効果を求めるニーズが見落とされ、また従来のブラジャーカップ構造の単一素材であるためブラジャーカップの表裏面の硬軟度が同じで、生地の柔軟性及び快適性のみを考えていたため、着用者のニーズを解決できないでいた。
【０００４】
ブラジャーカップは、バストを包み込む機能以外に、更にバストの持ち上げ及び支える効果が必要とされ、またブラジャーカップ着用時に外観からストラップに引っ張られて変形しないよう、ブラジャーカップの表面が比較的強い硬度が求められ、この特徴によって成型されたブラジャーカップが好適な支持性を穫得でき、変形もし難くなる。ただし全体的に硬度が増加した場合、裏面の肌触り面が着用者に不快感を与え、肌にフィットすることができない。逆に硬度が不足すると、支える効果が無くなり、且つブラジャーカップも容易に変形することで、視覚上の美しさも喪失してしまい、これにより、従来のブラジャーカップが単一素材である場合、前述の問題を克服することができない。
【考案の開示】
【考案が解決しようとする課題】
【０００５】
上記の従来技術の欠点に鑑み、本考案の主要な目的は、異なる硬軟度素材によるブラジャーカップ構造の改良を提供し、前記ブラジャーカップは外側から内側に固め編地層、ネットワークゲル、弾性繊維綿層、軟らかめ編地層を含み、前記ネットワークゲルの熱溶解性を介し、熱可塑成型の処理を通じて、前記ネットワークゲル層を熱溶解して前記固め編地層及び前記弾性繊維綿層を固定させ、また前記の固め編地層、ネットワークゲル、弾性繊維綿層、軟らかめ編地層を相互に貼合させると共にブラジャーのカップ型を加圧成型させ、立体的で厚手、且つ凹陥の収容空間を具備させて使用者のバストを包み込んで支えると共に外側がすっきりで、裏側が軟らかい感じに富み、ネットワークゲル層の熱溶解を介して固め編地層及び弾性繊維綿層を固定することで、本考案のブラジャーカップの形が高度な形を作り及びすっきりとバストアップするという優れた効果を具えさせ、前記軟らかめ編地層の素材設計も着用者に良好な快適効果をもたらし、その他にも、黄ばみし難い、通気性が良好で水洗に耐える効果を具えることにある。
【課題を解決するための手段】
【０００６】
上記の目的を達成するため、本考案では以下の技術手段をもって達成する。
本考案は、異なる硬軟度素材によるブラジャーカップ構造の改良を提供し、前記ブラジャーカップには外側から内側に固め編地層、ネットワークゲル、弾性繊維綿層、軟らかめ編地層を含む。
【０００７】
前記固め編地層は、固めの弾性編地で織り成され、且つ、前記ネットワークゲル層を事前に前記固め編地層及び前記弾性繊維綿層の間にふ設し、またブラジャーカップの成型過程中において別途加熱し、前記ネットワークゲル素材の熱溶解性を介して前記固め編地層及び弾性繊維綿層を結合固定させることができ、同時に前記固め編地層及び弾性繊維綿層を一体に結合させる。前記弾性繊維綿層は、不織綿で織り成されている。上記の設計は、本考案のブラジャーカップの表面に保護機能を提供する以外に、高度な可塑性で形作り及び形を固定する優れ効果をもたらし、且つ特殊な胸型設計を経た後、ブラジャー着用者に胸部の視覚上のすっきりした効果を持たせる。前記軟らかめ編地層は、軟らかめの弾性編地で織り成されることで、良好で柔らかく弾性に富み、ブラジャーカップの構造に強度を提供するだけでなく、優れた柔軟性及び通気性をもたらし、ブラジャー着用者の着用時に良好な快適性を提供する。固め編地層及び軟らかめ編地層は、好適な通気性と弾性を提供することができ、着用時の快適な効果、変形し難く、好適な持ち上げ、寄せ上げ及び包み込み、フィット感の効果をもたらす。ネットワークゲル層が固め編地層及び弾性繊維綿層に結合した後で、上記の固め編地層、ネットワークゲル、弾性繊維綿層、軟らかめ編地層が相互に貼合すると共にブラジャーのカップ型を加圧成型することで、立体的で厚手、且つ凹陥の収容空間を具備させて使用者のバストを包み込んで支える。
【実施例】
【０００８】
理解を更に深めるため、以下に図示を組合せて本考案の好ましい実施例の方法及び作動原理について一歩進んだ説明を行う。
【０００９】
図１は、本考案の好ましい実施例の断面分解図で、この実施例において、本考案の提供する異なる硬軟素材によるブラジャーカップ１構造改良は、その外側から内側に固め編地層１１、ネットワークゲル層１２、弾性繊維綿層１３、軟らかめ編地層１４を含む。
【００１０】
図２及び図３に示すように、各々、本考案の好ましい実施例の生地層分解図及び本考案の好ましい実施例の断面見取図で、前記固め編地層１１は、固めの弾性編地で織り成され、前記軟らかめ編地層１４は軟らかめの弾性編地で織り成されているため、良好で柔らかく弾性に富み、ブラジャーカップの構造に強度を提供するだけでなく、優れた柔軟性及び通気性も具えさせ、ブラジャー着用者の着用時の良好な快適性を与え、且つ、好適な通気性と弾性も提供することができ、着用における快適な効果をもたらし、水洗いに耐え、変形し難く、持ち上げ、寄せ上げ及び包み込み、フィット感の効果をもたらす。前記弾性繊維綿層１３は、不織綿で織り成されている。前記ネットワークゲル層１２を事前に前記固め編地層１１及び前記弾性繊維綿層１３の間にふ設し、また前記ネットワークゲル素材の熱溶解性を介して加熱した後、前記固め編地層１１及び弾性繊維綿層１３を結合固定させることができ、同時に前記固め編地層１１及び弾性繊維綿層１３を一体に結合させ、且つ表面の固め編地１１がネットワークゲル層１２と弾性繊維綿層１３が相互に結合することにより、表面素材に比較的硬い質感を生じさせる。上記の設計は、本考案のブラジャーカップの表面に保護機能を提供する以外に、高度な可塑性による形作り及び形の固定という優れ効果をもたらし、且つ特殊な胸型設計を経た後、ブラジャー着用者の胸部に視覚上のすっきりした効果を持たせる。また裏面の軟らかめ編地層１４と弾性繊維綿層１３は、従来の接着接合方法によって固め編地１１と弾性繊維綿層１３を相互に貼合させ、着用者のブラジャーカップの肌触り箇所に快適性を与える。
【００１１】
図４は、本考案の好ましい実施例のブラジャーカップに加圧成型した後の断面見取図で、前記固め編地層１１、ネットワークゲル層１２、弾性繊維綿層１３、軟らかめ編地層１４を相互に貼合すると共にブラジャーのカップ型に加圧成型することで、立体的で厚手、且つ凹陥の収容空間を具えて図５に示すように使用者のバストを包み込んで支えると共に外側がすっきり、裏側がやわらかい自然な感じに仕上がる。
【００１２】
以上に開示したものは、本考案の解釈として好ましい実施例であるが、これによって本考案の実施範囲に対してどのような形式上の限定を意図するものではなくため、本考案の実用新案登録請求の範囲に基づいて行った均等改変と修飾は、全て本考案の特許カバー範囲の意図した保護範囲にある。
【図面の簡単な説明】
【００１３】
【図１】本考案の好ましい実施例の断面分解図である。
【図２】本考案の好ましい実施例の生地層の分解図である。
【図３】本考案の好ましい実施例の断面見取図である。
【図４】本考案の好ましい実施例のブラジャーカップを加圧成型した後の断面見取図である。
【図５】本考案の好ましい実施例の使用状態の見取図である。
【符号の説明】
【００１４】
１ ブラジャーカップ
１１ 固め編地層
１２ ネットワークゲル層
１３ 弾性繊維綿層
１４ 軟らかめ編地層
【図１】
0003124173.tif 000003
【図２】
0003124173.tif 000004
【図３】
0003124173.tif 000005
【図４】
0003124173.tif 000006
【図５】
0003124173.tif 000007